(57)【要約】【課題】発信功率のレベルが調整、制御可能なワイヤレス情報装置を提供する。【解決手段】受信および発信回路装置１０１は必要に応じて、相対の相関的な回路装置を構成する。増幅回路１０２は受信および発信回路装置１０１とマシンの周辺のインターフェース回路１０３との間の電気信号を増幅し伝送する。発信の駆動電圧又は増幅功率レートを調整、制御することにより、発信の功率を調整、制御する。マシンの周辺インターフェース回路１０３はワイヤレス情報処理又は通信周辺装置の機能により、電子回路素子を選定、設置する専用回路である。マシンの周辺インターフェース回路１０３、入力装置１０４、出力装置１０５はシステムの必要性に応じて、設置する又は設置しないことを選択する。電源装置１１０は出力電圧の調整制御装置１１１を設置し、電圧の調整制御を設定し、出力電圧をリニア、階段式に増加又は低降するように変更させる。【選択図】　　図１
2004112730.tif 000002
【特許請求の範囲】
【請求項１】
発信功率のレベルが調整、制御可能なワイヤレス情報装置であって、受信および発信回路装置（１０１）、増幅回路（１０２）、マシンの周辺インターフェース回路（１０３）、入力装置（１０４）、出力装置（１０５）および電源装置（１１０）を備え、
受信および発信回路装置（１０１）はＩＣ回路、ソリッドステートの電子素子および機械電気ユニットから構成され、必要に応じて、電磁波方式、光学方式または超音波など通信の伝送方式を選択し、相対の相関的な受信および発信回路装置を構成し、または同時に二つあるいは二つ以上の通信の伝送方式を設置し、
増幅回路（１０２）は受信および発信回路装置（１０１）から受信する電気信号を増幅した後、マシンの周辺のインターフェース回路（１０３）へ伝送し、あるいはマシンの周辺のインターフェース回路（１０３）の電気信号を増幅した後、受信および発信回路装置（１０１）へ伝送し、または同時に両者の機能を備え、
人工操作により、発信の駆動電圧または増幅功率レートを調整および制御することにより、発信の功率を調整および制御し、または発信および受信回路の両者の駆動電圧、または発信および受信の増幅功率レートを調整および制御する装置を設置し、増幅回路はシステムの必要性に応じて、設置するまたは設置しないことを選択可能であり、
マシンの周辺インターフェース回路（１０３）はワイヤレス情報処理または通信周辺装置の機能により、電子回路素子を選定および設置するという専用回路であり、受信および発信回路装置（１０１）と増幅回路（１０２）、または入力装置（１０４）と出力装置（１０５）との中間インターフェース回路の機能を果たし、マシンの周辺インターフェース回路（１０３）はシステムの必要性に応じて、設定するまたは設定しないことを選択可能であり、
入力装置（１０４）は検知ユニットと相関的な電子および電気機械ユニットとから構成され、光、音声、電力、機械の位置移動、静電の誘導、ならびにほかの物理または化学変化をパルス、デジタルおよびアナログの電気信号へ転換する入力装置であり、必要に応じて、一つ以上の転換装置を選択して、マシンの周辺インターフェース回路（１０３）まで伝送し、あるいは直接に増幅回路（１０２）まで伝送し、入力装置はシステムの必要性に応じて、設置するまたは設置しないことを選択可能であり、
出力装置（１０５）は機械電気ユニット、ソリッドステートの電子素子または表示ユニット、ならびに相関的な機構から構成され、マシンの周辺インターフェース回路（１０３）または増幅回路（１０２）の電気信号を特定の電気信号へ転換させ、または光信号、ビデオ信号、音声信号、機械の位置移動あるいは熱形態の出力、または他の物理性あるいは化学性の出力に転換させ、出力装置はシステムの必要性に応じて、設置するまたは設置しないことを選択可能であり、
電源装置（１１０）は一つ以上の直流蓄電装置（１１００）から構成され、捨てるタイプのプライマリ電池、または充電、放電可能な電池、または蓄電コンデンサーおよびスーパーコンデンサーなどの直流蓄電装置から構成され、
必要に応じて、機械電気ユニットおよびソリッドステートの電子素子から形成される出力電圧の調整制御装置（１１１）を設置し、人工操作方式または出力および入力の状態により、電圧の調整制御を設定し、出力電圧をリニアあるいは階段式に増加または低降するように変更させることを特徴とするワイヤレス情報装置。
【請求項２】
電源装置（１１０）の出力電圧調整制御装置１１１はソリッドステートまたは機械電気スイッチ装置（１１０１）を含み、少なくとも二つの直流蓄電装置（１１００）の電圧を直列または並列するように調整および制御させ、この方式は数多の電池電源を使用し、ソリッドステートまたは機械電池スイッチ（１１０１）を設置し、人工で、電池の直列または並列状態を切り換え、あるいは出力および入力状態に応じて、電圧の調整および制御をセットし、出力電圧を変更することで前記発信および受信回路の駆動電圧を変更させ、または前記電池は充電および放電可能な電池を採用し、スイッチの操作で、直列または並列の切り換えをして、充電および放電する電池の充電電圧を調整および制御することを特徴とする請求項１記載のワイヤレス情報装置。
【請求項３】
電源装置（１１０）の出力電圧調整制御装置（１１１）はコンバーター回路装置（１１０３）で、電圧の上昇および低降の調整および制御回路を構成し、ソリッドステートのスイッチ素子または相関的な回路素子により、コンバーター回路装置（１１０３）を構成し、主に、直流電圧をワンウェイまたはツーウェイのパルス電圧へ変更させた後、交流の電圧装置を経由し、電圧を上昇または低降させ、次に、直流の出力を整流し、ソリッドステートまたは機械電気スイッチ装置（１１０１）により、人工的に切り換え、または出力および入力状態に応じて、電圧の調整および制御をセットし、マシンの周辺インターフェース回路（１０３）の電源電圧を提供することを特徴とする請求項１記載のワイヤレス情報装置。
【請求項４】
電源装置（１１０）の出力電圧調整制御装置（１１１）はチョウパーの電圧調整制御回路を含み、ソリッドステートのスイッチ素子または相関的な回路素子から構成され、直流電圧をチョウパーのように操作および制御して、出力の平均電圧を変更させることを特徴とする請求項１記載のワイヤレス情報装置。
【請求項５】
電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧のアップあるいは低降を行い、整流して直流の出力を得、機電式スイッチ素子、ソリッドステートスイッチ素子およびソリッドステートリニアトランジスターから構成した主動ユニット（３０２）をコンバーター回路の共同マイナスピンまたはプラスピンと電源装置（１１０）のマイナスピンまたはプラスピンとの間に直列し、発信または受信のときに、相対的にアップされた信号エネルギーやパルス信号エネルギーに操作および制御され、主動ユニット（３０２）を電気導通のように駆動させ、コンバーター回路装置（ｃｏｎｖｅｒｔｅｒ）（１１０３）を操作および制御して、供給するマシンの周辺インターフェース回路１０３の電源電圧を高め、主動ユニット３０２のコレクターＣおよびエミッターＥをコンバーター回路装置（ｃｏｎｖｅｒｔｅｒ）（１１０３）の出力端および入力端の共同ピンと電源装置（１１０）との間に直列し、主動ユニット（３０２）のベースＢを電流制限抵抗（３０３）、（３０４）および隔離ダイオード（３０５）から形成した直列回路に接続し、コンデンサー（３０６）は電流制限抵抗（３０３）、（３０４）の直列接続ポイントとマイナス電源との間に並列されることにより、隔離ダイオード（３０５）を経由して、発信または受信のときに、相対的にアップされた信号エネルギーやパルス信号エネルギーを充電および入力し、主動ユニット（３０２）を電気導通のように駆動させ、コンバーター回路装置（ｃｏｎｖｅｒｔｅｒ）（１１０３）を操作および制御して、供給するマシンの周辺インターフェース回路（１０３）の電源電圧を高め、コンバーター回路装置（ｃｏｎｖｅｒｔｅｒ）（１１０３）の正極または負極の入力端および出力端の間に、順方向のようにダイオード（３００）を並列することにより、電源装置（１１０）で、直接に負荷に電力を供給し、
前記主動ユニット（３０２）のコレクターＣとエミッターＥとの間に、逆方向のようにダイオード（３０１）を並列して、出力側の電源回路を構成し、
前記コンバーター回路装置（ｃｏｎｖｅｒｔｅｒ）（１１０３）の出力端には、必要に応じて選択可能にコンデンサー（３０７）を並列し出力端の電圧を安定させ、またはコンデンサー（３０７）を設置せず、
前記主動ユニット（３０２）は増幅機能を有する様々な集積増幅回路（ＩＣまたはチップ）やＭＯＳＦＥＴやほかの増幅機能の回路で取り替わられることを特徴とする請求項１記載のワイヤレス情報装置。
【請求項６】
電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧のアップおよび低降を行い、整流して直流の出力を得、リレーコイル（４０３）に作動されるノーマリオープン接点（４０４）はコンバーター回路装置（ｃｏｎｖｅｒｔｅｒ）（１１０３）の入力端、出力端の共同マイナスピンまたはプラスピンと電源装置（１１０）のマイナスピンまたはプラスピンとの間に直列され、リレーコイル（４０３）は操作、制御用トランジスター（４０２）のコレクターＣ、エミッターＥに直列されたあと、電源装置（１１０）の二つの出力端に並列され、発信または受信のときに、相対的にアップされた信号エネルギーやパルス信号エネルギーに操作および制御され、操作および制御用トランジスター（４０２）を電気導通のように駆動させ、リレーコイル（４０３）で、ノーマリオープン接点（４０４）を閉じるように作動させ、コンバーター回路装置（ｃｏｎｖｅｒｔｅｒ）（１１０３）を操作、制御して、供給するマシンの周辺インターフェース回路（１０３）の電源電圧を高め、操作、制御用トランジスター（４０２）のベースＢを電流制限抵抗（３０３）、（３０４）および隔離ダイオード（３０５）から形成した直列回路に接続し、コンデンサー（３０６）は電流制限抵抗（３０４）、（３０３）の直列接続ポイントとマイナス電源との間に並列されることにより、隔離ダイオード（３０５）を経由して、発信または受信のときに、相対的にアップされた信号エネルギーやパルス信号エネルギーを充電および入力し、リレーコイル（４０３）を電気導通のように駆動させ、ノーマリオープン接点（４０４）を閉じるように作動させ、コンバーター回路装置（ｃｏｎｖｅｒｔｅｒ）（１１０３）を操作、制御して、供給するマシンの周辺インターフェース回路（１０３）の電源電圧を高め、コンバーター回路装置（ｃｏｎｖｅｒｔｅｒ）（１１０３）の正極または負極の入力端、出力端の間に、順方向のようにダイオード（３００）を並列し、電源装置（１１０）で、直接に負荷に電力を供給し、
前記コンバーター回路装置（ｃｏｎｖｅｒｔｅｒ）（１１０３）の出力端には、必要に応じて選択可能にコンデンサー（３０７）を並列し出力端の電圧を安定させ、またはコンデンサー（３０７）を設置せず、
前記トランジスター（４０２）は増幅機能を有する様々な集積増幅回路（ＩＣまたはチップ）やＭＯＳＦＥＴやほかの増幅機能の回路で取り替わられることを特徴とする請求項１記載のワイヤレス情報装置。
【請求項７】
電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧の上昇および低降を行い、整流して直流の出力を得て、電流センサー（５０１）とリンクされる機電式スイッチ素子やソリッドステートスイッチ素子やソリッドステートリニアトランジスターから構成した主動ユニット（５０２）との両者は分離の構造であり、相互にリンクし、または一体の構造となり、電流センサー（５０１）は主動ユニット（５０２）を操作、制御したあと、両者が共同にコンバーター回路装置（ｃｏｎｖｅｒｔｅｒ）（１１０３）の出力電圧を操作、制御し、電流センサー（５０１）は電流を光のエネルギーへ転換させ、または電流を電圧値へ転換させ、または電流を磁気のエネルギーへ転換させ、または電流値を相対的な物理信号へ転換させるほかのユニットから構成され、電流センサー（５０１）はコンバーター回路装置（ｃｏｎｖｅｒｔｅｒ）（１１０３）の出力端または入力端と直列し、電流センサー（５０１）と相対的にリンクする主動ユニット（５０２）をコンバーター回路装置（ｃｏｎｖｅｒｔｅｒ）（１１０３）の入力端、出力端の共同マイナスピンまたはプラスピンと電源装置（１１０）のマイナスピンまたはプラスピンとの間に直列し、順方向のようにダイオード（３００）をコンバーター回路装置（ｃｏｎｖｅｒｔｅｒ）（１１０３）の正極ピンまたは負極ピンの入力端と出力端との間に並列し、
前記主動ユニット（５０２）の両端に、逆方向のようにダイオード（３０１）を並列し、コンバーター回路装置（ｃｏｎｖｅｒｔｅｒ）（１１０３）の出力側の電源回路を構成し、
電流センサー（５０１）の両端には、必要に応じて選択可能にコンデンサー（５０６）や分流抵抗（５０５）や電圧制限機能としてゼナー電圧効果を持つダイオード（５０４）を並列可能であり、前記コンデンサー（５０６）、分流抵抗（５０５）、ゼナーダイオード（５０４）は全部を設置しなくてもよく、部分を設置可能であり、
前記コンバーター回路装置（ｃｏｎｖｅｒｔｅｒ）（１１０３）の出力端には、必要に応じて選択可能にコンデンサー（３０７）を並列し出力端の電圧を安定させ、またはコンデンサー（３０７）を設置しないことを特徴とする請求項１記載のワイヤレス情報装置。
【請求項８】
電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧の上昇および低降を行い、整流して直流の出力を得、電流センサーコイル（６０１）と接点（６０２）との両者は分離の構造または一体の構造となり、電流センサーコイル（６０１）は接点（６０２）を操作、制御したあと、共同にコンバーター回路装置（１１０３）の出力電圧を操作、制御し、電流センサーコイル（６０１）は必要に応じて選択可能にコンバーター回路装置（１１０３）の出力端または入力端と直列し、電流センサーコイル（６０１）に操作、制御される接点（６０２）をコンバーター回路装置（１１０３）の入力端、出力端の共同マイナスピンまたはプラスピンと電源装置（１１０）のマイナスピンまたはプラスピンとの間に直列し、順方向にダイオード（３００）をコンバーター回路装置（ｃｏｎｖｅｒｔｅｒ）（１１０３）の正極ピンまたは負極ピンの入力端と出力端との間に並列し、
電流センサーコイル（６０１）の両端には、必要に応じて選択可能にコンデンサー（６０３）や分流抵抗（６０４）や電圧制限機能としてゼナー電圧効果を有するダイオード（６０５）を並列可能であり、前記コンデンサー（６０３）、分流抵抗（６０４）、ゼナーダイオード（６０５）は全部を設置しなくてもよく、部分を設置可能であり、
前記コンバーター回路装置（１１０３）の出力端には、必要に応じて選択可能にコンデンサー（３０７）を並列し出力端の電圧を安定させ、またはコンデンサー（３０７）を設置しないことを特徴とする請求項１記載のワイヤレス情報装置。
【請求項９】
操作制御方式は受信および発信回路装置（１０１）、マシンの周辺インターフェース回路（１０３）および入力装置（１０４）の操作および制御で、電源装置（１１０）の出力電圧を調整および制御し、機械待命の期間ＴＳならば、より低い電圧ＶＬの電源供給状態となって、発信および受信の状態期間ＴＷならば、より高い電圧ＶＨの電源供給状態となることを特徴とする請求項１記載のワイヤレス情報装置。
【請求項１０】
操作制御方式は人工の操作および制御で、より近い通信距離状態ＳＤの場合に、より低い駆動電圧ＶＬを選択し、発信および受信の機能を運転させ、それに対して、より遠い通信距離状態ＬＤの場合に、より高い駆動電圧ＶＨを選択し、発信および受信の機能を運転させることを特徴とする請求項１記載のワイヤレス情報装置。
【請求項１１】
操作制御方式は人工の操作で、駆動電圧を上昇させ、至急のブースターの発信功率機能とすることを特徴とする請求項１記載のワイヤレス情報装置。
【請求項１２】
操作制御方式は人工の操作で、より小さい通信距離ならば、増幅回路（１０２）の増幅レートを小さく調整および制御させ、それに対して、より遠い通信距離ならば、増幅回路（１０２）の増幅レートを大きく調整および制御させることを特徴とする請求項１記載のワイヤレス情報装置。
【請求項１３】
操作制御方式は人工の操作で、通信の距離および通信の環境に応じて、電源電圧を調整および制御するように選定することを特徴とする請求項１記載のワイヤレス情報装置。
【請求項１４】
操作制御方式の増幅回路（１０２）は固定の増幅レートを選択し、駆動電圧を調整および制御可能であるように電源装置（１１０）を選択および設定させることを特徴とする請求項１記載のワイヤレス情報装置。
【請求項１５】
操作制御方式の増幅回路（１０２）は増幅レートを調整および制御可能であるように選択および設定し、電源装置（１１０）は固定の駆動電圧を提供することを特徴とする請求項１記載のワイヤレス情報装置。
【請求項１６】
操作制御方式の増幅回路（１０２）は増幅レートを調整および制御可能であるように選択および設定し、電源装置（１１０）も増幅レートが調整および制御可能であるように選択および設定し、増幅回路（１０２）および電源装置（１１０）は個別に、操作および制御可能で、または相互運動の関係に設定し、同期の比例で、調整および制御可能であることを特徴とする請求項１記載のワイヤレス情報装置。
【請求項１７】
操作制御方式は人工の操作および制御で、より近い通信距離ならば、より低い駆動電圧を選択し、増幅回路（１０２）の増幅レートを小さく調整および制御させ、それに対して、より遠い通信距離ならば、より高い駆動電圧を選択し、増幅回路（１０２）の増幅レートを大きく調整および制御させることを特徴とする請求項１記載のワイヤレス情報装置。
【発明の詳細な説明】
【０００１】
【発明の属する技術分野】
本発明は発信功率のレベルが調整、制御可能なワイヤレス情報装置に関する。
【０００２】
【従来の技術】
従来から、伝統のワイヤレス（ｗｉｒｅｌｅｓｓ）情報処理および通信の周辺装置、例えば、マウス、キーボード、スキャナー、マイクロホン、ワイヤレス検知測定装置、またはワイヤレスアラーム装置などは発信周波の電磁波や赤外線や超音波で、ワイヤレスの通信を経由し、利便性を向上させる。近年のブルーツースプレーン（ｂｌｕｅ　ｔｏｏｔｈ　ｐｌａｎ）の例を挙げて見ると、確かにそれはそんな科学技術発展の指標だと言える。
【０００３】
【発明が解決しようとする課題】
しかしながら、ワイヤレス通信は携帯式の電源を設置しなければならなくて、セーブした功率が限られる。現今、それら製品の駆動および発信回路は単一の操作電圧のレベルにセットして、信号の大きさに応じて変化される。
残念ながら、使用の発信、受信装置の長短距離が一定ではないので、通信環境の差異がより大きいという環境に使用される場合に、固定駆動電圧または固定功率を採用して、発信信号を増幅するときに、短い通信にとって、出てくる功率はいつも過剰であると言え、電力の無駄になり、電源供給の時間がついに短縮される。
【０００４】
したがって、本発明の目的は、ニーズにより発信装置の駆動電圧または功率の増幅レートを調整、制御する相関的な回路を設置し、ニーズに応じて発信装置の必要な駆動電圧または功率の増幅レートを選択して相関の回路を駆動させ、通信信号強度の過剰で電力の無駄を招く欠陥を避けることができるワイヤレス情報装置を提供することにある。
【０００５】
【課題を解決するための手段】
上述の目的を達成するために本発明の請求項１に記載のワイヤレス情報装置は、受信および発信回路装置（１０１）、増幅回路（１０２）、マシンの周辺インターフェース回路（１０３）、入力装置（１０４）、出力装置（１０５）および電源装置（１１０）を備える。
【０００６】
受信および発信回路装置（１０１）はＩＣ回路やソリッドステートの電子素子や機械電気ユニットから構成され、必要に応じて、電磁波方式、光学方式例えば赤外線または超音波など通信の伝送方式を選択し、相関的な受信および発信回路装置を構成し、同時に二つや二つ以上の通信の伝送方式を設置する。増幅回路（１０２）は受信および発信回路装置（１０１）から受信する電気信号を増幅した後、マシンの周辺のインターフェース回路（１０３）へ伝送する。あるいは、マシンの周辺のインターフェース回路（１０３）の電気信号を増幅した後、受信および発信回路装置（１０１）へ伝送する。または、同時に、上述両者の機能を備えている。人工操作により、発信の駆動電圧または増幅功率レートを調整、制御する。発信の功率を調整、制御し、発信、受信回路の両者の、駆動電圧または発信、受信の増幅功率レートを調整、制御する装置を設定する。増幅回路はシステムの必要性に応じて、設置するまたは設置しないことを選択可能である。
【０００７】
マシンの周辺インターフェース回路（１０３）はワイヤレス情報処理または通信周辺装置の機能により、電子回路素子を選定、設置するという専用回路である。受信および発信回路装置（１０１）と増幅回路（１０２）または入力装置（１０４）と出力装置（１０５）との中間インターフェース回路の機能を果たし、なお、マシンの周辺インターフェース回路（１０３）はシステムの必要性に応じて、設定するまたは設定しないことを選択可能である。入力装置（１０４）は検知ユニット（Ｄｅｔｅｃｔｏｒ）および相関的な電子、電気機械ユニットから構成される。光や音声や電力や機械の位置移動や静電の誘導やほかの物理または化学変化をパルス、デジタル、アナログの電気信号へ転換する入力装置である。必要に応じて、一つ以上の転換装置を選択して、マシンの周辺インターフェース回路（１０３）まで伝送し、あるいは直接に増幅回路（１０２）まで伝送し、この入力装置はシステムの必要性に応じて、設置するまたは設置しないことを選択可能である。出力装置（１０５）は機械電気ユニット、ソリッドステートの電子素子または表示ユニットおよび相関的な機構から構成される。マシンの周辺インターフェース回路（１０３）または増幅回路（１０２）の電気信号を特定の電気信号へ転換させ、または光信号、ビデオ信号、音声信号、機械の位置移動や熱形態の出力、他の物理性や化学性の出力に転換させる。この出力装置はシステムの必要性に応じて、設置するまたは設置しないことを選択可能である。
【０００８】
電源装置（１１０）は一つ以上の直流蓄電装置（１１００）から構成される。捨てるタイプのプライマリ電池または充電、放電可能な電池または蓄電コンデンサー、スーパーコンデンサーなど直流蓄電装置から構成される。必要に応じて、機械電気ユニット、ソリッドステートの電子素子から形成される出力電圧の調整制御装置（１１１）を設置する。人工操作方式または出力、入力の状態により、電圧の調整制御を設定し、出力電圧をリニア、階段式の増加または低降するように変更させる。
【０００９】
本発明の請求項２記載のワイヤレス情報装置は、電源装置（１１０）の出力電圧調整制御装置（１１１）はソリッドステートまたは機械電気スイッチ装置（１１０１）を含む。少なくとも二つの直流蓄電装置（１１００）の電圧を直列または並列するように調整、制御させる。この方式は数多の電池電源を使用し、ソリッドステートまたは機械電池スイッチ（１１０１）を設置し、人工で、電池の直列、並列状態を切り換え、あるいは出力、入力状態に応じて、電圧の調整、制御をセットし、出力電圧を変更することで発信および受信回路の駆動電圧を変更させる。電池は充電、放電可能な電池を採用し、スイッチの操作で、直列、並列の切り換えをして、充電、放電する電池の充電電圧を調整、制御する。
【００１０】
本発明の請求項３記載のワイヤレス情報装置は、電源装置（１１０）の出力電圧調整制御装置（１１１）はコンバーター回路装置（Ｃｏｎｖｅｒｔｅｒ）（１１０３）であり、電圧の上昇、低降の調整、制御回路を構成する。ソリッドステートのスイッチ素子または相関的な回路素子により、コンバーター回路装置（Ｃｏｎｖｅｒｔｅｒ）（１１０３）を構成する。主に、直流電圧をワンウェイまたはツーウェイのパルス電圧へ変更させた後、交流の電圧装置を経由し、電圧の上昇、低降に関与する。次に、直流の出力を整流し、ソリッドステートまたは機械電気スイッチ装置（１１０１）により、人工的に切り換え、または出力、入力状態に応じて、電圧の調整、制御をセットし、マシンの周辺インターフェース回路（１０３）の電源電圧を提供する。
【００１１】
本発明の請求項４記載のワイヤレス情報装置は、電源装置（１１０）の出力電圧調整制御装置（１１１）はチョウパー（ｃｈｏｐｐｅｒ）の電圧調整、制御回路を含む。ソリッドステートのスイッチ素子または相関的な回路素子から構成され、直流電圧をチョウパーのように操作、制御して、出力の平均電圧を変更させる。
【００１２】
本発明の請求項５記載のワイヤレス情報装置は、電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧のアップあるいは低降を行い、整流して直流の出力を得る。機電式スイッチ素子、ソリッドステートスイッチ素子およびソリッドステートリニアトランジスターから構成した主動ユニット（３０２）をコンバーター回路の共同マイナスピンまたはプラスピンと電源装置（１１０）のマイナスピンまたはプラスピンとの間に直列し、発射または受信のときに、相対的にアップされた信号エネルギーやパルス信号エネルギーに操作および制御される。主動ユニット（３０２）を電気導通のように駆動させ、コンバーター回路装置（ｃｏｎｖｅｒｔｅｒ）（１１０３）を操作および制御して、供給するマシンの周辺インターフェース回路１０３の電源電圧を高め、主動ユニット３０２のコレクターＣおよびエミッターＥをコンバーター回路装置（ｃｏｎｖｅｒｔｅｒ）（１１０３）の出力端および入力端の共同ピンと電源装置（１１０）との間に直列し、主動ユニット（３０２）のベースＢを電流制限抵抗（３０３）、（３０４）および隔離ダイオード（３０５）から形成した直列回路に接続し、コンデンサー（３０６）は電流制限抵抗（３０３）、（３０４）の直列接続ポイントとマイナス電源との間に並列されることにより、隔離ダイオード（３０５）を経由して、発射または受信のときに、相対的にアップされた信号エネルギーやパルス信号エネルギーを充電および入力し、主動ユニット（３０２）を電気導通のように駆動させ、コンバーター回路装置（ｃｏｎｖｅｒｔｅｒ）（１１０３）を操作および制御して、供給するマシンの周辺インターフェース回路（１０３）の電源電圧を高め、コンバーター回路装置（ｃｏｎｖｅｒｔｅｒ）（１１０３）の正極または負極の入力端および出力端の間に、順方向のようにダイオード（３００）を並列することにより、電源装置（１１０）で、直接に負荷に電力を供給する。前記の主動ユニット（３０２）のコレクターＣとエミッターＥとの間に、逆方向のようにダイオード（３０１）を並列して、出力側の電源回路を構成する。前記コンバーター回路装置（ｃｏｎｖｅｒｔｅｒ）（１１０３）の出力端には、必要に応じて選択可能にコンデンサー（３０７）を並列し出力端の電圧を安定させ、またはコンデンサー（３０７）を設置しない。前記主動ユニット（３０２）は増幅機能を有する様々な集積増幅回路（ＩＣまたはチップ）やＭＯＳＦＥＴやほかの増幅機能の回路で取り替わられる。
【００１３】
本発明の請求項６記載のワイヤレス情報装置は電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧のアップおよび低降を行い、整流して直流の出力を得、リレーコイル（４０３）に作動されるノーマリオープン接点（４０４）はコンバーター回路装置（ｃｏｎｖｅｒｔｅｒ）（１１０３）の入力端、出力端の共同マイナスピンまたはプラスピンと電源装置（１１０）のマイナスピンまたはプラスピンとの間に直列され、リレーコイル（４０３）は操作、制御用トランジスター（４０２）のコレクターＣ、エミッターＥに直列されたあと、電源装置（１１０）の二つの出力端に並列され、発射または受信のときに、相対的にアップされた信号エネルギーやパルス信号エネルギーに操作および制御され、操作および制御用トランジスター（４０２）を電気導通のように駆動させ、リレーコイル（４０３）で、ノーマリオープン接点（４０４）を閉じるように作動させ、コンバーター回路装置（ｃｏｎｖｅｒｔｅｒ）（１１０３）を操作、制御して、供給するマシンの周辺インターフェース回路（１０３）の電源電圧を高め、操作、制御用トランジスター（４０２）のベースＢを電流制限抵抗（３０３）、（３０４）および隔離ダイオード（３０５）から形成した直列回路に接続し、コンデンサー（３０６）は電流制限抵抗（３０４）、（３０３）の直列接続ポイントとマイナス電源との間に並列されることにより、隔離ダイオード（３０５）を経由して、発射または受信のときに、相対的にアップされた信号エネルギーやパルス信号エネルギーを充電および入力し、リレーコイル（４０３）を電気導通のように駆動させ、ノーマリオープン接点（４０４）を閉じるように作動させ、コンバーター回路装置（ｃｏｎｖｅｒｔｅｒ）（１１０３）を操作、制御して、供給するマシンの周辺インターフェース回路（１０３）の電源電圧を高め、コンバーター回路装置（ｃｏｎｖｅｒｔｅｒ）（１１０３）の正極または負極の入力端、出力端の間に、順方向のようにダイオード（３００）を並列し、電源装置（１１０）で、直接に負荷に電力を供給する。前記コンバーター回路装置（ｃｏｎｖｅｒｔｅｒ）（１１０３）の出力端には、必要に応じて選択可能にコンデンサー（３０７）を並列し出力端の電圧を安定させ、またはコンデンサー（３０７）を設置しない。前記トランジスター（４０２）は増幅機能を有する様々な集積増幅回路（ＩＣまたはチップ）やＭＯＳＦＥＴやほかの増幅機能の回路で取り替わられる。
【００１４】
本発明の請求項７記載のワイヤレス情報装置は　電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧のアップおよび低降を行い、整流して直流の出力を得、電流センサー（５０１）とリンクされる機電式スイッチ素子やソリッドステートスイッチ素子やソリッドステートリニアトランジスターから構成した主動ユニット（５０２）との両者は分離の構造であり、相互にリンクし、または一体の構造となり、電流センサー（５０１）は主動ユニット（５０２）を操作、制御したあと、両者が共同にコンバーター回路装置（ｃｏｎｖｅｒｔｅｒ）（１１０３）の出力電圧を操作、制御し、電流センサー（５０１）は電流を光のエネルギーへ転換させ、または電流を電圧値へ転換させ、または電流を磁気のエネルギーへ転換させ、または電流値を相対的な物理信号へ転換させるほかのユニットから構成され、電流センサー（５０１）はコンバーター回路装置（ｃｏｎｖｅｒｔｅｒ）（１１０３）の出力端または入力端と直列するが、電流センサー（５０１）と相対的にリンクする主動ユニット（５０２）をコンバーター回路装置（ｃｏｎｖｅｒｔｅｒ）（１１０３）の入力端、出力端の共同マイナスピンまたはプラスピンと電源装置（１１０）のマイナスピンまたはプラスピンとの間に直列し、順方向のようにダイオード（３００）をコンバーター回路装置（ｃｏｎｖｅｒｔｅｒ）（１１０３）の正極ピンまたは負極ピンの入力端と出力端との間に並列する。前記主動ユニット（５０２）の両端に、逆方向のようにダイオード（３０１）を並列し、コンバーター回路装置（ｃｏｎｖｅｒｔｅｒ）（１１０３）の出力側の電源回路を構成する。電流センサー（５０１）の両端には、必要に応じて選択可能にコンデンサー（５０６）や分流抵抗（５０５）や電圧制限機能としてゼナー電圧効果を持つダイオード（５０４）を並列可能であり、前記コンデンサー（５０６）、分流抵抗（５０５）、ゼナーダイオード（５０４）は全部を設置しなくてもよく、部分を設置可能である。前記コンバーター回路装置（ｃｏｎｖｅｒｔｅｒ）（１１０３）の出力端には、必要に応じて選択可能にコンデンサー（３０７）を並列し出力端の電圧を安定させ、または設置しない。
【００１５】
本発明の請求項８記載のワイヤレス情報装置は　電源装置（１１０）の出力電圧調整制御装置（１１１）はソリッドステートリニアまたはスイッチ素子または相関的な回路素子で構成するコンバーター回路装置（ｃｏｎｖｅｒｔｅｒ）（１１０３）を含み、直流電圧をワンウェイまたはツーウェイのパルス電圧へ変更させたあと、交流の変圧装置を経由し、電圧のアップおよび低降を行い、整流して直流の出力を得、電流センサーコイル（６０１）と接点（６０２）との両者は分離の構造または一体の構造となり、電流センサーコイル（６０１）は接点（６０２）を操作、制御したあと、共同にコンバーター回路装置（１１０３）の出力電圧を操作、制御し、電流センサーコイル（６０１）は必要に応じて選択可能にコンバーター回路装置（１１０３）の出力端または入力端と直列し、電流センサーコイル（６０１）に操作、制御される接点（６０２）をコンバーター回路装置（１１０３）の入力端、出力端の共同マイナスピンまたはプラスピンと電源装置（１１０）のマイナスピンまたはプラスピンとの間に直列し、順方向にダイオード（３００）をコンバーター回路装置（ｃｏｎｖｅｒｔｅｒ）（１１０３）の正極ピンまたは負極ピンの入力端と出力端との間に並列する。電流センサーコイル（６０１）の両端には、必要に応じて選択可能にコンデンサー（６０３）や分流抵抗（６０４）や電圧制限機能としてゼナー電圧効果を有するダイオード（６０５）を並列可能であり、前記コンデンサー（６０３）、分流抵抗（６０４）、ゼナーダイオード（６０５）は全部を設置しなくてもよく、部分を設置可能である。前記コンバーター回路装置（１１０３）の出力端には、必要に応じて選択可能にコンデンサー（３０７）を並列し出力端の電圧を安定させ、または設置しない。
【００１６】
本発明の請求項９記載のワイヤレス情報装置は、操作、制御方式は受信および発信回路装置（１０１）やマシンの周辺インターフェース回路（１０３）や入力装置（１０４）の操作、制御で、電源装置（１１０）の出力電圧を調整、制御する。機械待命の期間ＴＳならば、より低い電圧ＶＬの電源供給状態となって、発信、受信の状態期間ＴＷならば、より高い電圧ＶＨの電源供給状態となる。
【００１７】
本発明の請求項１０記載のワイヤレス情報装置は、操作、制御方式は人工の操作、制御で、より近い通信距離状態ＳＤの場合に、より低い駆動電圧ＶＬを選択し、発信、受信の機能を運転させる。それに対して、より遠い通信距離状態ＬＤの場合に、より高い駆動電圧ＶＨを選択し、発信、受信の機能を運転させる。
【００１８】
本発明の請求項１１記載のワイヤレス情報装置は、操作、制御方式は人工の操作で、駆動電圧を上昇させ、至急のブースター（ｂｏｏｓｔｅｒ）の発信功率機能とする。
本発明の請求項１２記載のワイヤレス情報装置は、操作、制御方式は人工の操作で、より小さい通信距離ならば、増幅回路（１０２）の増幅レートを小さく調整、制御させる。それに対して、より遠い通信距離ならば、幅回路（１０２）の増幅レートを大きく調整、制御させる。
【００１９】
本発明の請求項１３記載のワイヤレス情報装置は、操作、制御方式は人工の操作で、通信の距離および通信の環境に応じて、電源電圧を調整、制御するように選定する。
本発明の請求項１４記載のワイヤレス情報装置は、操作、制御方式の増幅回路（１０２）は固定の増幅レートを選択し、駆動電圧を調整、制御可能であるように電源装置（１１０）を選択、設定させる。
【００２０】
本発明の請求項１５記載のワイヤレス情報装置は、操作、制御方式の増幅回路（１０２）は増幅レートを調整、制御可能であるように選択、設定し、電源装置（１１０）は固定の駆動電圧を提供する。
本発明の請求項１６記載のワイヤレス情報装置は、操作、制御方式の増幅回路（１０２）は増幅レートを調整、制御可能であるように選択、設定し、電源装置（１１０）も増幅レートが調整、制御可能であるように選択、設定する。増幅回路（１０２）および電源装置（１１０）は個別に、操作、制御可能で、または相互運動の関係に設定し、同期の比例で、調整、制御可能である。
【００２１】
本発明の請求項１７記載のワイヤレス情報装置は、操作制御方式は人工の操作および制御で、より近い通信距離ならば、より低い駆動電圧を選択し、増幅回路（１０２）の増幅レートを小さく調整および制御させ、それに対して、より遠い通信距離ならば、より高い駆動電圧を選択し、増幅回路（１０２）の増幅レートを大きく調整および制御させる。
【００２２】
【発明の実施の形態】
以下、本発明の実施例を図面に基づいて説明する。
図１に示すように、本発明の実施例によるワイヤレス情報装置は主に次の要素から形成される。
受信および発信回路装置１０１はＩＣ回路やソリッドステートの電子素子や機械電気ユニットから構成される。必要に応じて、電磁波方式、光学方式（例えば赤外線）または超音波など通信の伝送方式を選択し、相対の相関的な発信および受信回路装置を構成する。または同時に二つや二つ以上の通信の伝送方式を設置する。
【００２３】
増幅回路１０２は受信、発信回路装置１０１から受信する電気信号を増幅したあとで、マシンの周辺のインターフェース回路１０３へ伝送する。または、マシン周辺のインターフェース回路１０３の電気信号を増幅した後に、受信および発信回路装置１０１へ伝送する。または、同時に、上述両者の機能を具有する。その特徴は人工操作で、発信の駆動電圧または増幅功率レートを調整、制御することにより、発信の功率を調整、制御する。または、発信および受信回路の両者とも、駆動電圧または発信および受信の増幅功率レートを調整、制御する装置を設定する。なお、増幅回路はシステムの必要性に応じて、設置するまたは設置しないことを選択する。
【００２４】
マシンの周辺インターフェース回路１０３はワイヤレス情報処理または通信周辺装置の機能により、電子回路素子を選定、設置するという専用回路であり、受信および発信回路装置１０１と増幅回路１０２または入力装置１０４と出力装置１０５との中間インターフェース回路の機能とする。なお、マシンの周辺インターフェース回路はシステムの必要性に応じて、設置するまたは設置しないことを選択する。
【００２５】
入力装置１０４は検知ユニット（Ｄｅｔｅｃｔｏｒ）および相関的な電子、電気機械ユニットから構成される。それで、光や音声や電力や機械の位置移動や静電の誘導やほかの物理または化学変化をパルス、デジタル、アナログの電気信号へ転換するという入力装置である。必要に応じて、一つまたは一つ以上の転換装置を選択して、マシンの周辺インターフェース回路１０３まで伝送し、または直接に増幅回路１０２まで伝送する。なお、入力装置はシステムの必要性に応じて、設置するまたは設置しないことを選択する。
【００２６】
出力装置１０５は機械電気ユニット、ソリッドステートの電子素子または表示ユニットおよび相関的な機構から構成される。それで、マシンの周辺インターフェース回路１０３または増幅回路１０２の電気信号を特定の電気信号へ転換させ、または光信号、ビデオ信号、音声信号、機械の位置移動や熱形態の出力、他の物理性や化学性の出力に転換させる。なお、出力装置はシステムの必要性に応じて、設置するまたは設置しないことを選択する。
【００２７】
電源装置１１０は一つまたは一つ以上の直流蓄電装置１１００から構成される。捨てるタイプのプライマリ電池または充電、放電可能な電池または蓄電コンデンサー、スーパーコンデンサーなど直流蓄電装置から構成される。その特徴は必要に応じて、機械電気ユニット、ソリッドステートの電子素子から形成される出力電圧の調整制御装置１１１を設置する。それで、人工操作方式または出力、入力の状態により、電圧の調整制御を設定し、出力電圧をリニア、階段式に増加または低降するように変更させる。
【００２８】
前述の電源装置１１０の出力電圧調整制御装置１１１は次の方式を含む。
（１）ソリッドステートまたは機械電気スイッチ装置１１０１を経由し、少なくとも二つの直流蓄電装置１１００の電圧を直列、並列するように調整、制御させる。図２に示すのは、本実施例による、スイッチ装置で、電圧を切り替える回路のブロックダイヤフレームである。その方式は数多の電池電源を使用し、ソリッドステートまたは機械電気スイッチ装置１１０１を設置する。また人工で、電池の直列、並列状態を切り換え、あるいは出力、入力状態に応じて、電圧の調整、制御をセットし、出力電圧を変更する。そうすると、発信および受信回路の駆動電圧を変更させる。または、上述の電池は充電、放電可能な電池を採用し、スイッチの操作で、直列、並列の切り替えをして、充電、放電可能な電池の充電電圧を調整、制御する。
【００２９】
（２）コンバータ回路装置（ｃｏｎｖｅｒｔｅｒ）１１０３で、電圧の上昇、低降の調整、制御回路を構成する。図３に示すのは、本実施例による、コンバーター回路装置で、電源電圧を変更する回路のブロックダイヤフレームである。それはソリッドステートのスイッチ素子または相関的な回路素子で、コンバータ回路装置（ｃｏｎｖｅｒｔｅｒ）１１０３を構成する。主に、直流電圧をワンウェイまたはツーウェイのパルス電圧へ変更させたあとで、交流の変圧装置を経由し、電圧の上昇、低降をする。その次に、整流して直流の出力を得る。ソリッドステートまたは機械電気スイッチ装置１１０２で、人工的に切り替え、または出力、入力状態に応じて、電圧の調整、制御をセットする。それで、マシンの周辺インターフェイス回路１０３の電源電圧を提供し、またはソリッドステートのスイッチ装置または相関的な回路素子から構成される。そして直流電圧をチョウパーのように操作、制御して、出力の平均電圧を変更させる。
【００３０】
（３）コンバーター回路装置（ｃｏｎｖｅｒｔｅｒ）１１０３で、信号のフィードバック操作、制御用のソリッドステートリニアまたはスイッチ素子を結合して、電圧の上昇、低降の調整、制御回路を構成する。図４に示すのは本実施例によるコンバーター回路装置で、信号のフィードバック操作、制御用のソリッドステートリニアまたはスイッチ素子を結合して、電圧の上昇、低降の調整、制御回路を構成する。それはソリッドステートのスイッチ素子または相関的な回路素子で、コンバーター回路装置（ｃｏｎｖｅｒｔｅｒ）１１０３を構成する。主に、直流電圧をワンウェイまたはツーウェイのパルス電圧へ変更させたあとで、交流の変圧装置を経由し、電圧の上昇、低降をする。その次に、整流して直流の出力を得る。機電式スイッチ素子やソリッドステートスイッチ素子やソリッドステートリニアトランジスターから構成した主動ユニット３０２をコンバーター回路の共同マイナスピンまたはプラスピンと電源装置１１０のマイナスピンまたはプラスピンとの間に直列する。発信または受信のときに、相対的にアップされた信号エネルギーやパルス信号エネルギーに操作、制御される。それで、主動ユニット３０２を電気導通のように駆動させる。さらに、コンバーター回路装置（ｃｏｎｖｅｒｔｅｒ）１１０３を操作、制御して、供給するマシンの周辺インターフェース回路１０３の電源電圧を高める。主動ユニット３０２のコレクターＣおよびエミッターＥをコンバーター回路装置（ｃｏｎｖｅｒｔｅｒ）１１０３の出力端、入力端の共同ピンと電源装置１１０の間に直列する。主動ユニット３０２のベースＢを電流制限抵抗３０３、３０４および隔離ダイオード３０５から形成した直列回路に接続する。コンデンサー３０６は電流制限抵抗３０３、３０４の直列接続ポイントとマイナス電源との間に並列されるので、隔離ダイオード３０５を経由して、発信または受信のときに、相対的にアップされた信号エネルギーやパルス信号エネルギーを充電、入力し、主動ユニット３０２を電気導通のように駆動させ、さらに、コンバーター回路装置（ｃｏｎｖｅｒｔｅｒ）１１０３を操作、制御して、供給するマシンの周辺インターフェース回路１０３の電源電圧を高める。コンバーター回路装置（ｃｏｎｖｅｒｔｅｒ）１１０３の正極（または負極）の入力端、出力端の間に、順方向のようにダイオード３００を並列するので、電源装置１１０で、直接に負荷に電力を供給する。
【００３１】
前述の主動ユニット３０２のコレクターＣとエミッターＥとの間に、逆方向のように、ダイオード３０１を並列して、出力側の電源回路を構成する。
前述のコンバーター回路装置（ｃｏｎｖｅｒｔｅｒ）１１０３の出力端には、必要に応じて、選択可能に、コンデンサー３０７を並列してもよく、出力端の電圧を安定させる。なお、設置しなくてもよい。
前述の主動ユニット３０２は増幅機能を持つ様々な集積増幅回路（ＩＣまたはチップ）やＭＯＳＦＥＴやほかの増幅機能の回路で取り替わられる。
【００３２】
（４）コンバーター回路装置（ｃｏｎｖｅｒｔｅｒ）１１０３で、信号のフィードバック操作、制御用のリレーを結合して、電圧の上昇、低降の調整、制御回路を構成する。図５に示すのは本実施例によるコンバーター回路装置で、信号のフィードバック操作、制御用のリレーを結合して、電圧の上昇、低降の調整、制御回路を構成する。それはソリッドステートのスイッチ素子または相関的な回路素子で、コンバーター回路装置（ｃｏｎｖｅｒｔｅｒ）１１０３を構成する。主に、直流電圧をワンウェイまたはツーウェイのパルス電圧へ変更させたあと、交流の変圧装置を経由し、電圧の上昇、低降をする。その次に、整流して直流の出力を得る。リレーコイル４０３に作動されるノーマリオープン接点４０４はコンバーター回路装置（ｃｏｎｖｅｒｔｅｒ）１１０３の入力端、出力端の共同マイナスピンまたはプラスピンと電源装置１１０のマイナスピンまたはプラスピンとの間に直列する。リレーコイル４０３は操作、制御用トランジスター４０２のコレクターＣ、エミッターＥに直列されたあと、電源装置１１０の二つの出力端に並列され、発信または受信のときに、相対的にアップされた信号エネルギーやパルス信号エネルギーに操作、制御される。それで、操作、制御用トランジスター４０２を電気導通のように駆動させる。さらに、リレーコイル４０３で、ノーマリオープン接点４０４を閉じるように作動させ、コンバーター回路装置（ｃｏｎｖｅｒｔｅｒ）１１０３を操作、制御して、供給するマシンの周辺インターフェース回路１０３の電源電圧を高める。操作、制御用トランジスター４０２のベースＢを電流制限抵抗３０３、３０４および隔離ダイオード３０５から形成した直列回路に接続する。コンデンサー３０６は電流制限抵抗３０４、３０３の直列接続ポイントとマイナス電源との間に並列され、隔離ダイオード３０５を経由して、発信または受信のときに、相対的にアップされた信号エネルギーやパルス信号エネルギーを充電、入力し、リレーコイル４０３を電気導通のように駆動させ、さらに、ノーマリオープン接点４０４を閉じるように作動させ、コンバーター回路装置（ｃｏｎｖｅｒｔｅｒ）１１０３を操作、制御して、供給するマシンの周辺インターフェース回路１０３の電源電圧を高める。コンバーター回路装置（ｃｏｎｖｅｒｔｅｒ）１１０３の正極または負極の入力端、出力端の間に、順方向のようにダイオード３００を並列するので、電源装置１１０で、直接に負荷に電力を供給する。
【００３３】
前述のコンバーター回路装置（ｃｏｎｖｅｒｔｅｒ）１１０３の出力端には、必要に応じて、選択可能に、コンデンサー３０７を並列してもよく、出力端の電圧を安定させる。なお、設置しなくてもよい。
前述のトランジスター４０２は増幅機能を有する様々な集積増幅回路（ＩＣまたはチップ）やＭＯＳＦＥＴやほかの増幅機能の回路で取り替わられる。
【００３４】
（５）コンバーター回路装置（ｃｏｎｖｅｒｔｅｒ）１１０３で、電流のセンサー装置および電流のセンサー装置に駆動されるソリッドステートリニアまたはスイッチ素子を結合して、電圧の上昇、低降の調整、制御回路を構成する。図６に示すのは本実施例によるコンバーター回路装置で、電流のセンサー装置および電流のセンサー装置に駆動されるソリッドステートリニアまたはスイッチ素子を結合して、電圧の上昇、低降の調整、制御回路を構成する。それはソリッドステートのスイッチ素子または相関的な回路素子で、コンバーター回路装置（ｃｏｎｖｅｒｔｅｒ）１１０３を構成する。主に、直流電圧をワンウェイまたはツーウェイのパルス電圧へ変更させたあと、交流の変圧装置を経由し、電圧の上昇、低降をする。その次に、整流して直流の出力を得る。電流センサー５０１とリンクされる機電式スイッチ素子やソリッドステートスイッチ素子やソリッドステートリニアトランジスターから構成した主動ユニット５０２との両者は分離の構造で、相互にリンクし、または一体の構造となる。電流センサー５０１は主動ユニット５０２を操作、制御したあと、両者が共同にコンバーター回路装置（ｃｏｎｖｅｒｔｅｒ）１１０３の出力電圧を操作、制御する。電流センサー５０１は電流を光のエネルギーへ転換させ、または電流を電圧値へ転換させ、または電流を磁気のエネルギーへ転換させ、または電流値を相対的な物理信号へ転換させるほかのユニットから構成される。電流センサー５０１はコンバーター回路装置（ｃｏｎｖｅｒｔｅｒ）１１０３の出力端または入力端と直列するが、電流センサー５０１と相対的にリンクする主動ユニット５０２をコンバーター回路装置（ｃｏｎｖｅｒｔｅｒ）１１０３の入力端、出力端の共同マイナスピンまたはプラスピンと電源装置１１０のマイナスピンまたはプラスピンとの間に直列する。順方向にダイオード３００をコンバーター回路装置（ｃｏｎｖｅｒｔｅｒ）１１０３の正極ピンまたは負極ピンの入力端と出力端との間に並列する。
【００３５】
前述の主動ユニット５０２の両端に、逆方向に、ダイオード３０１を並列して、コンバーター回路装置（ｃｏｎｖｅｒｔｅｒ）１１０３の出力側の電源回路を構成する。
その他、電流センサー５０１の両端には、必要に応じて、選択可能に、コンデンサー５０６や分流抵抗５０５や電圧制限機能としてゼナー電圧効果を有するダイオード５０４を並列してもよい。上述のコンデンサー５０６、分流抵抗５０５、ゼナーダイオード５０４は全部を設置しなくてもよく、部分を設置してもよい。
前述のコンバーター回路装置（ｃｏｎｖｅｒｔｅｒ）１１０３の出力端には、必要に応じて、選択可能に、コンデンサー３０７を並列してもよく、出力端の電圧を安定させる。なお、設置しなくてもよい。
【００３６】
（６）コンバーター回路装置（ｃｏｎｖｅｒｔｅｒ）１１０３で、電流のセンサーコイルおよび駆動される接点を結合して、電圧の上昇、低降の調整、制御回路を構成する。図７に示すのは本実施例によるコンバーター回路装置で、電流のセンサーコイルおよび駆動される接点を結合して、電圧の上昇、低降の調整、制御回路を構成する。それはソリッドステートリニアまたはスイッチ素子または相関的な回路素子で、コンバーター回路装置（ｃｏｎｖｅｒｔｅｒ）１１０３を構成する。主に、直流電圧をワンウェイまたはツーウェイのパルス電圧へ変更させたあとで、交流の変圧装置を経由し、電圧の上昇、低降をする。その次に、整流して直流の出力を得る。電流センサーコイル６０１と接点６０２との両者は分離の構造または一体の構造となる。電流センサーコイル６０１は接点６０２を操作、制御したあと、共同にコンバーター回路装置１１０３の出力電圧を操作、制御する。電流センサーコイル６０１は必要に応じて、選択可能に、コンバーター回路装置１１０３の出力端または入力端と直列し、電流センサーコイル６０１に操作、制御される接点６０２をコンバーター回路装置１１０３の入力端、出力端の共同マイナスピンまたはプラスピンと電源装置１１０のマイナスピンまたはプラスピンとの間に直列する。順方向にダイオード３００をコンバーター回路装置（ｃｏｎｖｅｒｔｅｒ）１１０３の正極ピンまたは負極ピンの入力端と出力端との間に並列する。
【００３７】
その他、電流センサーコイル６０１の両端には、必要に応じて、選択可能に、コンデンサー６０３や分流抵抗６０４や電圧制限機能として、ゼナー電圧効果を有するダイオード６０５を並列してもよい。上述のコンデンサー６０３、分流抵抗６０４、ゼナーダイオード６０５は全部を設置しなくてもよく、部分を設置してもよい。
前述のコンバーター回路装置１１０３の出力端には、必要に応じて、選択可能に、コンデンサー３０７を並列してもよく、出力端の電圧を安定させる。なお、設置しなくてもよい。
【００３８】
さらに、発射功率のレベルが調整、制御可能なワイヤレス情報装置の操作、制御方式を以下のように調べる。
１．受信、発信の回路装置１０１やマシンの周辺インターフェース回路１０３や入力装置１０４の操作、制御で、電源装置１１０の出力電圧を調整、制御する。機械待命の期間ＴＳならば、より低い電圧ＶＬの電源供給状態となって、発信、受信の状態期間ＴＷならば、より高い電圧ＶＨの電源供給状態となる。図８に示すのは本実施例により、電源の電圧がより低い待命電圧およびより高い発信または受信の電圧に呈する状態の説明図である。
【００３９】
２．人工の操作、制御で、より近い通信距離状態ＳＤの場合に、より低い駆動電圧ＶＬを選択し、発信、受信の機能を運転させる。それに対して、より遠い通信距離状態ＬＤの場合に、より高い駆動電圧ＶＨを選択し、発信、受信の機能を運転させる。図９に示すのは本実施例により、人工の操作で、通信の距離に応じて、異なる発射電圧電源を選択するという電源の供給状態の説明図である。
【００４０】
３．人工の操作で、駆動電圧を上昇させ、至急のブースター（ｂｏｏｓｔｅｒ）の発射功率機能とする。
４．人工の操作で、より近い通信距離ならば、増幅回路１０２の増幅レートを小さく調整、制御させる。それに対して、より遠い通信距離ならば、増幅回路１０２の増幅レートを大きく調整、制御させる。
【００４１】
５．人工の操作で、通信の距離および通信の環境に応じて、電源電圧を調整、制御するように選定する。
６．配置の増幅回路１０２は固定の増幅レートを選択し、駆動電圧が調整、制御可能に電源装置１１０を選択、設定させる。
【００４２】
７．配置の増幅回路１０２は増幅レートが調整、制御可能に選択、設定し、電源装置１１０は固定の駆動電圧を提供する。
８．配置の増幅回路１０２は増幅レートが調整、制御可能に選択、設定し、電源装置１１０も増幅レートが調整、制御可能に選択、設定する。両者は個別に、操作、制御可能であり、または相互連動の関係を設定し、同期の比例で、調整、制御可能である。
【００４３】
９．人工の操作、制御で、より近い通信距離ならば、より低い駆動電圧を選択し、増幅回路１０２の増幅レートを小さく調整、制御させる。それに対して、より遠い通信距離ならば、より高い駆動電圧を選択し、増幅回路１０２の増幅レートを大きく調整、制御させる。
【００４４】
以上の内容をまとめると、発射功率のレベルが調整、制御可能なワイヤレス情報装置は次の利点がある。
１．通信の信号強度の過剰で、発射功率が環境に電磁干渉をさせることを減らす。
【００４５】
２．消耗のエネルギーを省いて、機械の待命時間および操作可能な時間を向上させる。
要するに、本実施例は確かに、新規な発想であり、立派な効果に役立つことにより、法律により特許の請求を提出致します。
【００４６】
【発明の効果】
本発明のワイヤレス情報装置は特に必要性により、発射装置の駆動電圧または功率の増幅レートを調整、制御する相関的な回路を指す。それで、通信の距離および通信環境の必要な通信強度に応じて、発信装置の必要な駆動電圧を選択し、または功率の増幅レートを操作、制御し、相関的な回路を駆動することにより、通信の信号強度の過剰、電力の無駄などの欠陥を避ける。
【図面の簡単な説明】
【図１】本発明の実施例によるワイヤレス情報装置を示すブロック図である。
【図２】本発明の実施例によるワイヤレス情報装置のスイッチ装置で、電圧を切り替える回路を示すブロック図である。
【図３】本発明の実施例によるワイヤレス情報装置のコンバーター回路装置で、電源電圧を変更する回路を示すブロック図である。
【図４】本発明の実施例によるワイヤレス情報装置のコンバーター回路装置で、信号のフィードバック操作、制御用のソリッドステートリニアまたはスイッチ素子を結合して、電圧の上昇、低降の調整、制御回路を構成する状態を示すブロック図である。
【図５】本発明の実施例によるワイヤレス情報装置のコンバーター回路装置で、信号のフィードバック操作、制御用のリレーを結合して、電圧の上昇、低降の調整、制御回路を構成する状態を示すブロック図である。
【図６】本発明の実施例によるワイヤレス情報装置のコンバーター回路装置で、電流のセンサー装置及び電流のセンサー装置に駆動されるソリッドステートリニアまたはスイッチ素子を結合して、電圧の上昇、低降の調整、制御回路を構成する状態を示すブロック図である。
【図７】本発明の実施例によるワイヤレス情報装置のコンバーター回路装置で、電流のセンサーコイルおよび駆動される接点を結合し、電圧の上昇、低降の調整、制御回路を構成する状態を示すブロック図である。
【図８】本発明の実施例によるワイヤレス情報装置で、電源の電圧がより低い待命電圧およびより高い発信または受信の電圧に呈する状態を示す説明図である。
【図９】本発明の実施例によるワイヤレス情報装置の人工の操作で、通信の距離に応じて、異なる発信電圧電源を選択するという電源の供給状態を示す説明図である。
【符号の説明】
１０１　　　受信、発信の回路装置
１０２　　　増幅回路
１０３　　　マシンの周辺インターフェース回路
１０４　　　入力装置
１０５　　　出力装置
１１０　　　電源装置
１１１　　　出力電圧の調整、制御装置
１１００　　　直流の蓄電装置
【図１】
2004112730.tif 000003
【図２】
2004112730.tif 000004
【図３】
2004112730.tif 000005
【図４】
2004112730.tif 000006
【図５】
2004112730.tif 000007
【図６】
2004112730.tif 000008
【図７】
2004112730.tif 000009
【図８】
2004112730.tif 000010
【図９】
2004112730.tif 000011